(57)【要約】【課題】従来の送信装置は、暗号化が不要なコンテンツでも、著作権保護方式に対応しない受信装置に送信した場合正しく処理できない、という課題があった。【解決手段】送信装置において、出力すべきコンテンツが著作権保護非対象であるときは著作権保護用のヘッダを付与せずに出力し、著作権保護対象であるときは該当コンテンツを出力しない。【選択図】図２
2006005726.tif 000002
【特許請求の範囲】
【請求項１】
出力するコンテンツを暗号化する暗号処理手段と、
出力するコンテンツを受信する受信装置を認証する認証手段と、
著作権保護非対応受信装置用の論理出力ポートとそれ以外の論理出力ポートを区別して管理する論理出力ポート管理手段と、
上記論理出力ポート管理手段によって管理される、少なくとも２つ以上の論理出力ポートを介してコンテンツを出力する出力手段と、
出力すべきコンテンツが著作権保護対象か非対象かを判定する著作権保護判定手段と、
上記著作権保護判定手段の判定結果によって、上記認証手段、上記暗号化手段および上記出力手段を制御してコンテンツ出力を制御する出力制御手段と、
を備え、
上記出力制御手段は、上記著作権保護非対応機器用の論理出力ポートを介して出力する際に、上記著作権保護判定手段によって、出力すべきコンテンツが著作権保護非対象であると判定した場合、該当のコンテンツを出力し、著作権保護対象であると判定した場合、該当のコンテンツを出力しないよう制御することを特徴とする送信装置。
【請求項２】
代替情報生成手段を備え、
出力制御手段は、著作権保護非対応機器用の論理出力ポートを介して出力する際に、出力すべきコンテンツが著作権保護対象であると判定した場合、代替情報に置き換えて出力することを特徴とする請求項１記載の送信装置。
【請求項３】
代替情報は、コンテンツが出力できない事を警告する警告画像であることを特徴とする請求項２記載の送信装置。
【請求項４】
代替情報は、直前に受信した著作権保護非対象コンテンツに含まれる画像情報であることを特徴とする請求項２記載の送信装置。
【請求項５】
出力するコンテンツのコンテンツリストを生成するコンテンツリスト生成手段と、
受信装置からのコンテンツリスト要求を受信するコンテンツリスト要求受信手段とを備え、
上記コンテンツリスト生成手段は、著作権保護非対応受信装置が再生可能なコンテンツに対してコンテンツリストを生成し、受信装置からのコンテンツリスト要求によって出力することを特徴とする請求項１から請求項４のいずれかに記載の送信装置。
【請求項６】
出力すべきコンテンツが私的コンテンツであることを判定する私的コンテンツ判定手段を備え、
出力制御手段は、著作権保護非対応機器用の論理出力ポートを介して出力する際に、出力すべきコンテンツが、著作権保護判定手段によって著作権保護非対象と判定され、かつ、上記私的コンテンツ判定手段によって私的コンテンツであると判定された場合、出力するよう制御することを特徴とする請求項１記載の送信装置。
【請求項７】
私的コンテンツ判定手段は、コンテンツの属性情報に含まれる私的コンテンツ識別情報によって判定することを特徴とする請求項６記載の送信装置。
【請求項８】
私的コンテンツ判定手段は、画像に埋め込まれた私的コンテンツ識別情報によって判定することを特徴とする請求項６記載の送信装置。
【請求項９】
私的コンテンツ判定手段は、出力するコンテンツを画像処理し、自然画像であると判定した時、私的コンテンツであると判定することを特徴とする請求項６記載の送信装置。
【請求項１０】
私的コンテンツ判定手段は、出力するコンテンツを画像処理し、手ぶれを検出した時、私的コンテンツであると判定することを特徴とする請求項６記載の送信装置。
【請求項１１】
請求項１〜請求項１０のいずれかに記載の送信装置の全部または一部の手段の機能をコンピュータにより実行させるためのプログラム及び／またはデータを担持した媒体であって、コンピュータにより処理可能なことを特徴とする媒体。
【請求項１２】
請求項１〜請求項１０のいずれかに記載の送信装置の全部または一部の手段の機能をコンピュータにより実行させるためのプログラム及び／またはデータであることを特徴とする情報集合体。
【発明の詳細な説明】
【技術分野】
【０００１】
本発明は、著作権保護が必要なデータの著作権を保護してデータを送受信する送信装置、受信装置、媒体及び情報集合体に関するものである。
【背景技術】
【０００２】
近年、家庭内の機器をネットワークで接続し、各種コンテンツの共有を図る家庭内ネットワークが実現されつつある。家庭内ネットワークの実現形態のひとつとして、家庭内にルータを設け、そのルータにＰＣやデジタルテレビなどの各機器と、コンテンツを蓄積するＡＶサーバとをスター型で接続する形態が考えられる。ルータは、家庭内のネットワークと家庭外のネットワークと接続するものである。家庭内のＡＶサーバは、このルータを介して家庭外のネットワークから取得された各種コンテンツや、ネットワーク以外の手段、例えばデジタル放送により放送された各種コンテンツを一旦蓄積し、各機器からの要求に応じて各種コンテンツを要求した受信装置へ送信する機能を有する。
【０００３】
一方、新作の映画や有料放送のテレビ番組、音楽などの著作権保護が必要なデータを扱う場合、著作権を保護する必要がある。著作権を保護するための有力な方法として、著作権保護を必要とするデータを暗号化してデータの利用に制限を加える方法がある。
【０００４】
例えば、映像音声データ（以下ＡＶデータと記す）を利用して伝送する際、ＡＶデータを著作権保護する必要がある場合、そのＡＶデータを暗号化して伝送することが行われている。そのような例としてＤＴＣＰ（Ｄｉｇｉｔａｌ  Ｔｒａｎｓｍｉｓｓｉｏｎ  Ｐｒｏｔｅｃｔｉｏｎ）方式が規格化されている。
【０００５】
ＤＴＣＰ方式は、認証機能を備えており、ＡＶデータを伝送する際に、不正な機器を排除し、ＡＶデータなどの著作権保護が必要なデータを暗号化して伝送することにより著作権の保護を実現している。
ＤＴＣＰ方式によって、コンテンツを伝送する際、伝送するコンテンツの中に著作権保護処理を適用する部分と適用しない部分が混在する場合、送信装置がＡＶデータを出力する時に、各部分毎に識別情報を付与する必要がある。ＤＴＣＰ方式の場合、ＥＭＩ（Ｅｎｃｒｙｐｔｉｏｎ  Ｍｏｄｅ  Ｉｎｄｉｃａｔｏｒ）またはＥ−ＥＭＩ（Ｅｘｔｅｎｄｅｄ−Ｅｎｃｒｙｐｔｉｏｎ  Ｍｏｄｅ  Ｉｎｄｉｃａｔｏｒ）によって著作権保護処理を適用する部分と適用しない部分を区別することができる。
ＤＴＣＰ方式をネットワーク伝送で用いられるＩＰ（Ｉｎｔｅｒｎｅｔ  Ｐｒｏｔｏｃｏｌ）に適用したＤＴＣＰ−ＩＰ方式の場合について、識別情報であるＥ−ＥＭＩ及びその付与方法を、図１０および図１１を用いて以下に説明する。
【０００６】
図１０はＥ−ＥＭＩの各モードとその説明を示す表である。Ｅ−ＥＭＩの値が００００２の場合は、著作権保護処理が適用されないコピーフリー（ＣＦ）モードであることを示し、暗号化せず平文で伝送される。モードＡ０からＤ０の場合は著作権保護処理が適用されることを示し、各モードに応じた暗号化モードで伝送される。
ＤＴＣＰ−ＩＰ方式の場合、Ｅ−ＥＭＩは、コンテンツを分割した伝送単位であるＰＣＰ（Ｐｒｏｔｅｃｔｅｄ  Ｃｏｎｔｅｎｔ  Ｐａｃｋｅｔ）毎に付与されるＰＣＰヘッダに格納される。ＨＴＴＰ（Ｈｙｐｅｒｔｅｘｔ  Ｔｒａｎｓｆｅｒ  Ｐｒｏｔｏｃｏｌ）伝送の場合、図１１（ａ）に示すようにＰＣＰヘッダはコンテンツと共にＨＴＴＰエンティティボディに格納され、ＲＴＰ（Ｒｅａｌ−ｔｉｍｅ  Ｔｒａｎｓｐｏｒｔ  Ｐｒｏｔｏｃｏｌ）伝送の場合、図１１（ｂ）に示すようにＲＴＰパケットのペイロード部に格納される。
【特許文献１】特開２０００−２９５２４０号公報
【発明の開示】
【発明が解決しようとする課題】
【０００７】
しかしながら、従来の送信装置には以下の理由で問題があった。
上記したようにＤＴＣＰ−ＩＰ方式の場合、送信装置は送信するＨＴＴＰのエンティティボディもしくはＲＴＰパケットのペイロード部にコンテンツとともにＤＴＣＰ−ＩＰ方式固有の情報であるＰＣＰヘッダを格納する。そのため、ＤＴＣＰ−ＩＰ方式に対応しない受信装置の場合、受信した情報に含まれるＰＣＰヘッダを解釈できないため、受信したコンテンツに著作権保護処理が適用されない平文部分が含まれている場合でも、それを正しく処理できない、という課題があった。
また、図９に示されるように著作権保護処理を適用しないコピーフリーのコンテンツの場合、利用者が自ら撮影したような私的コンテンツと、アナログ放送の録画番組のような私的コンテンツでないコンテンツとが存在するが、従来の送信装置は両者を区別する手段が存在しない。そのため、本来利用者が任意にネットワークに送信できる私的コンテンツをネットワーク送信可能にすると、私的コンテンツではないコンテンツも送信可能になってしまうという課題があった。
【０００８】
そこで、本発明は、出力すべきコンテンツが著作権保護非対象であるときは著作権保護用のヘッダを付与せずに該当コンテンツを出力し、著作権保護対象であるときは該当コンテンツを出力しない送信装置、プログラム及びプログラムを記録した記録媒体を提供することを目的とする。
また、本発明は、出力すべきコンテンツが私的コンテンツであることを判定し、私的コンテンツを区別してネットワークに送信できる送信装置、プログラム及びプログラムを記録した記録媒体を提供することを目的とする。
【課題を解決するための手段】
【０００９】
上記目的を達成するために、第１の本発明（請求項１に対応）に係る送信装置は、
出力するコンテンツを暗号化する暗号処理手段と、出力するコンテンツを受信する受信装置を認証する認証手段と、著作権保護非対応受信装置用の論理出力ポートとそれ以外の論理出力ポートを区別して管理する論理出力ポート管理手段と、上記論理出力ポート管理手段によって管理される、少なくとも２つ以上の論理出力ポートを介してコンテンツを出力する出力手段と、出力すべきコンテンツが著作権保護対象か非対象かを判定する著作権保護判定手段と、上記著作権保護判定手段の判定結果によって、上記認証手段、上記暗号化手段および上記出力手段を制御してコンテンツ出力を制御する出力制御手段と、
を備え、上記出力制御手段は、上記著作権保護非対応機器用の論理出力ポートを介して出力する際に、上記著作権保護判定手段によって、出力すべきコンテンツが著作権保護非対象であると判定した場合、該当のコンテンツを出力し、著作権保護対象であると判定した場合、該当のコンテンツを出力しないよう制御することを特徴とする送信装置である。
【００１０】
また、第２の本発明（請求項２に対応）に係る送信装置は、代替情報生成手段を備え、
出力制御手段は、著作権保護非対応機器用の論理出力ポートを介して出力する際に、出力すべきコンテンツが著作権保護対象であると判定した場合、代替情報に置き換えて出力することを特徴とする第１の発明に記載の送信装置である。
【００１１】
また、第３の本発明（請求項３に対応）に係る送信装置は、代替情報はコンテンツが出力できない事を警告する警告画像であることを特徴とする第２の発明に記載の送信装置である。
【００１２】
また、第４の本発明（請求項４に対応）に係る送信装置は、代替情報は直前に受信した著作権保護非対象コンテンツに含まれる画像情報であることを特徴とする第２の発明に記載の送信装置である。
【００１３】
また、第５の本発明（請求項５に対応）に係る送信装置は、出力するコンテンツのコンテンツリストを生成するコンテンツリスト生成手段と、受信装置からのコンテンツリスト要求を受信するコンテンツリスト要求受信手段とを備え、上記コンテンツリスト生成手段は、著作権保護非対応受信装置が再生可能なコンテンツに対してコンテンツリストを生成し、受信装置からのコンテンツリスト要求によって出力することを特徴とする第２の発明から第４の発明のいずれかに記載の送信装置である。
【００１４】
また、第６の本発明（請求項６に対応）に係る送信装置は、出力すべきコンテンツが私的コンテンツであることを判定する私的コンテンツ判定手段を備え、出力制御手段は、著作権保護非対応機器用の論理出力ポートを介して出力する際に、出力すべきコンテンツが、著作権保護判定手段によって著作権保護非対象と判定され、かつ、上記私的コンテンツ判定手段によって私的コンテンツであると判定された場合、出力するよう制御することを特徴とする第1の発明に記載の送信装置である。
【００１５】
また、第７の本発明（請求項７に対応）に係る送信装置は、私的コンテンツ判定手段は、コンテンツの属性情報に含まれる私的コンテンツ識別情報によって判定することを特徴とする第６の発明に記載の送信装置である。
【００１６】
また、第８の本発明（請求項８に対応）に係る送信装置は、
私的コンテンツ判定手段は、画像に埋め込まれた私的コンテンツ識別情報によって判定することを特徴とする第６の発明に記載の送信装置である。
【００１７】
また、第９の本発明（請求項９に対応）に係る送信装置は、私的コンテンツ判定手段は、出力するコンテンツを画像処理し、自然画像であると判定した時、私的コンテンツであると判定することを特徴とする第６の発明に記載の送信装置である。
【００１８】
また、第１０の本発明（請求項１０に対応）に係る送信装置は、私的コンテンツ判定手段は、出力するコンテンツを画像処理し、手ぶれを検出した時、私的コンテンツであると判定することを特徴とする第６の発明に記載の送信装置である。
【００１９】
また、第１１の本発明（請求項１１対応）に係る媒体は、第１の本発明〜第１０の本発明のいずれかに記載の送信装置の全部または一部の手段の機能をコンピュータにより実行させるためのプログラム及び／またはデータを担持した媒体であって、コンピュータにより処理可能なことを特徴とする媒体である。
【００２０】
また、第１２の本発明（請求項１２に対応）に係る情報集合体は、第１の本発明〜第１０の本発明のいずれかに記載の送信装置の全部または一部の手段の機能をコンピュータにより実行させるためのプログラム及び／またはデータであることを特徴とする情報集合体である。
【発明の効果】
【００２１】
本発明は、著作権保護非対応受信装置用の論理出力ポートを備え、著作権保護非対応受信装置用の論理出力ポートを介して出力する場合は、著作権保護処理用のヘッダを付与せずに該当コンテンツを出力し、著作権保護対象であるときは該当コンテンツを出力せず、著作権保護非対象部分を出力することにより、著作権保護非対応の受信装置が受信する場合でも、受信データを復号処理して再生することができる、送信装置、プログラム及びプログラムを記録した記録媒体を提供することができる。
また、本発明は、出力すべきコンテンツが私的コンテンツであることを判定し、私的コンテンツを区別してネットワークに送信できる送信装置、プログラム及びプログラムを記録した記録媒体を提供することが出来る。
【発明を実施するための最良の形態】
【００２２】
以下、本発明の実施の形態について図１から図６までを用いて詳細に説明する。
【００２３】
（実施の形態１）
＜概要＞
本実施の形態の送信装置は、著作権保護非対応受信装置用の論理出力ポートと著作権保護対応受信装置用の論理出力ポートを備え、著作権保護非対応受信装置用の論理出力ポートに出力する場合、出力すべきコンテンツが著作権保護非対象であるときは著作権保護用のヘッダを付与せずに該当コンテンツを出力し、著作権保護対象であるときは該当コンテンツを出力せず、代替情報を出力する。
【００２４】
＜構成＞
図１は、本実施の形態の送信装置及び送信装置からのデータを受信する受信装置を示す図であり、送信装置であるＡＶサーバ、受信装置であるＰＣ、デジタルテレビ、およびルータの接続図である。
【００２５】
図１に示すように家庭内には、ＡＶサーバ１、デジタルテレビ２、ＰＣ３、およびルータ４か設置されている。ルータ４とＡＶサーバ１、デジタルテレビ２はイーサネット（登録商標）で接続されており、ルータ４とＰＣ３は無線メディア（ＩＥＥＥ８０２．１１ｇ）で接続されている。なお、デジタルテレビ２は著作権保護方式としてＤＴＣＰ−ＩＰ方式に対応する著作権保護対応受信装置であり、ＰＣ３はＤＴＣＰ−ＩＰ方式に対応しない著作権保護非対応受信装置である。
【００２６】
またルータ４は、インターネットを介して家庭外のルータ５と接続される。ルータ５は、受信装置であるＰＣ６と接続されている。ここで、ルータ５とＰＣ６はイーサネット（登録商標）で接続されている。ただし、本実施の形態では家庭内機器と家庭外機器のコンテンツ伝送については説明しない。
本実施の形態ではＡＶコンテンツのおよびコンテンツ取得コマンドの伝送にＨＴＴＰおよびＴＣＰ（Ｔｒａｎｓｍｉｓｓｉｏｎ  Ｃｏｎｔｒｏｌ  Ｐｒｏｔｏｃｏｌ）ＨＴＴＰを用いる。従って、ＴＣＰポートが本実施の形態における論理出力ポートに相当する。
【００２７】
図２に、送信装置であるＡＶサーバ１の構成を示す。
【００２８】
ＡＶサーバ１は、エンコーダ部２１、コンテンツ蓄積部２２、暗号処理部２３、代替画像置換部２４、制御部２５、認証処理部２６、論理出力ポート管理部２７、コンテンツリスト管理部２８、送受信部２９から構成される。
【００２９】
本実施の形態において、暗号処理部２３は暗号処理手段、代替画像置換部２４は代替情報生成手段、制御部２５は著作権保護判定手段および出力制御手段、認証処理部２６は認証手段、論理出力ポート管理部２７は論理ポート管理手段、コンテンツリスト管理部２８はコンテンツリスト生成手段及びコンテンツリスト要求受信手段、送受信部２９は出力手段にそれぞれ対応する。
【００３０】
図３はＡＶサーバ１がデジタルテレビ２、ＰＣ３にＡＶコンテンツを出力する時のＡＶサーバ１の論理出力ポートであるＴＣＰポート１０１（ポート番号２０８０）、ＴＣＰポート１０２（ポート番号８０８０）と、デジタルテレビ２の論離入力ポートであるＴＣＰポート２０１、ＰＣ３の論離入力ポートであるＴＣＰポート３０１との論理的な接続関係を示す。ここで、ＴＣＰポート１０１が著作権保護対応受信装置用の論理出力ポートであり、ＴＣＰポート１０２が著作権保護非対応受信装置用の論理出力ポートである。
【００３１】
エンコーダ部２１は、外部機器（図示せず）から入力されるアナログＡＶ信号をＡＤ変換、圧縮したデジタルＡＶ信号に変換する。また、エンコーダ部２１は入力するアナログＡＶ信号に含まれる著作権保護情報（本実施の形態ではＣＧＭＳ−Ａ方式によるコピー制御情報）を検出して、コンテンツ蓄積部２２に送る。
コンテンツ蓄積部２２は、エンコーダ部２１からのデジタルＡＶ信号とコピー制御情報を記録し、記録したＡＶコンテンツを再生して出力する。
【００３２】
暗号処理部２３は、暗号出力モードに設定されると、コンテンツ蓄積部２２から再生されたＡＶデータのコピー制御情報が「コピー不可」の場合、設定される暗号鍵によって暗号化し、「コピー可」の場合、平文のまま、いずれの場合もＰＣＰヘッダを付与して出力する。平文出力モードに設定されるとコピー制御情報が「コピー可」のＡＶデータのみ平文のままＰＣＰヘッダを付与せずに出力する。
代替画像置換部２４は、暗号出力モードに設定されると、暗号処理部２３が出力するＡＶデータをそのまま出力し、平文出力モードに設定されると、再生されたＡＶデータのコピー制御情報が「コピー可」の場合、暗号処理部２３が出力する平文のＡＶデータをそのまま出力し、「コピー不可」の場合、代替画像を生成して出力する。代替画像としては、再生中のＡＶデータが「コピー不可」であるため出力することができないことを示す警告画像と、直前に受信した著作権保護非対象の画像とをリモコン等の入力手段（図示せず）で選択する。
【００３３】
制御部２５は、ＡＶサーバ１を構成するエンコーダ部２１、コンテンツ蓄積部２２、暗号処理部２３、代替画像置換部２４、認証処理部２６、論理出力ポート管理部２７、コンテンツリスト管理部２８、送受信部２９の各部を制御して、ＡＶデータの記録及び記録したＡＶデータを再生してネットワーク経由で受信装置に出力する。また、制御手段２５は、コンテンツ蓄積部２２にＡＶコンテンツと共に記録した著作権保護情報によって、記録されているＡＶコンテンツが著作権保護対象か判定する。
【００３４】
認証処理部２６は、暗号出力モードに設定されると、ネットワークを介して接続された受信装置と著作権保護対象のＡＶデータを使用するための認証を行い、暗号鍵を暗号処理部２３に出力する。また、平文出力モードに設定されると認証処理を実行しない。
論理出力ポート管理部２７は、ＡＶデータをネットワークに出力する際の論理出力ポートとして、著作権保護対応受信装置用論理出力ポートのＴＣＰポート１０１のポート番号（２０８０）と、著作権保護非対応受信装置用論理出力ポートのＴＣＰポート１０２のポート番号（８０８０）を管理する。
コンテンツリスト管理部２８は、コンテンツ蓄積部の蓄積するＡＶコンテンツのコンテンツリストを生成し、送受信部２９を介してコンテンツリスト要求コマンドを受信したときに、ネットワークに送信する。生成出力するコンテンツリストは、全蓄積コンテンツに対応するコンテンツリストと、著作権保護非対応受信装置用のコンテンツリストの２種類である。
送受信部２９は、ＡＶデータをネットワークに送信し、またネットワークに接続されている他の機器とコマンドなどを送受信するためのデジタルインターフェースである。
【００３５】
＜動作＞
次に、このような本実施の形態の動作を説明する。
【００３６】
［録画動作］
まず、制御部２５は録画がリモコン等の入力手段（図示せず）で指示されると、エンコーダ部２１とコンテンツ蓄積部２２を制御し、エンコーダ部２１はＡＶサー入力されるアナログＡＶ信号デジタルＡＶ信号に変換し、検出したコピー制御情報とともにコンテンツ蓄積部２２に出力し、コンテンツ蓄積部２２はＡＶコンテンツとして蓄積する。
【００３７】
また、制御部２５はエンコーダ部２１からアナログＡＶ信号のコピー制御情報を逐次受信し、蓄積したＡＶコンテンツ全体のコピー制御情報を決定して、蓄積したＡＶコンテンツの他の属性情報とともにコンテンツリスト管理部２８に出力する。蓄積したＡＶコンテンツ全体が「コピー可」であるとき「コピー可」、全体が「コピー不可」のコンテンツであるときは「コピー不可（全体）」、一部が「コピー不可」のコンテンツであるときは「コピー不可（混在）」と判定する。コンテンツリスト管理部２８は受信したＡＶコンテンツの各属性情報によって図４に示すコンテンツリストを生成する。
【００３８】
図４（ａ）は、管理用コンテンツリストであり、管理番号、ファイル名、タイトル、ＡＶコンテンツ全体のコピー制御情報から構成される。また、コンテンツリスト管理部２８は管理用コンテンツリストを元に図４（ｂ）に示す全蓄積コンテンツに対応する送信用コンテンツリストと、図４（ｃ）に示す著作権保護非対応受信装置で再生が可能な「コピー可」及び「コピー不可（混在）」のコンテンツに対応する著作権保護非対応受信装置用コンテンツリストを生成する。
［ＰＣ３によるコンテンツリストの取得］
ＰＣ３がリストを指定せずにコンテンツリスト要求コマンドをＡＶサーバ１に送信すると、コンテンツリスト管理部２８は送受信部２９を経由してコンテンツリスト要求コマンドを受信して解析し、送信用コンテンツリストを送受信部２９を経由してＰＣ３に送信する。また、ＰＣ３が著作権保護非対応受信装置用のコンテンツリストを指定してコンテンツリスト要求コマンドをＡＶサーバ１に送信すると、コンテンツリスト管理部２８は、著作権保護非対応受信装置用コンテンツリストを送受信部２９を経由してＰＣ３に送信する。
［ＰＣ３による再生動作］
ＰＣ３は取得したコンテンツリストから、蓄積コンテンツ「００２．ｍｐｇ」を選択して、コンテンツ取得コマンド（ＧＥＴ）を、著作権保護非対応受信装置用のＴＣＰポート１０２（ポート番号８０８０）を指定して送信する。
【００３９】
制御部２５は、送受信部２９を介してコンテンツ取得コマンドを受信すると、論理出力ポート管理部２７から得た著作権保護非対応受信装置用のＴＣＰポート番号８０８０であることを確認し、暗号化処理部２３、代替画像置換部２４及び認証処理部２６を平文出力モードに設定し、コンテンツ蓄積部２２、送受信部２９を制御して再生を開始する。
【００４０】
図５（ａ）に蓄積コンテンツ「００２．ｍｐｇ」におけるコピー制御情報の変化を示す。
【００４１】
図５（ｂ）にコピー制御情報の変化に応じて送信するＡＶデータを示す。暗号化処理部２３、代替画像置換部２４はコピー制御情報の変化に応じて動作し、「コピー可」の場合、平文のＡＶデータをそのままＴＣＰポート１０２を介してＰＣ３に出力し、「コピー不可」の場合、代替画像置換部２４が生成する代替画像をＴＣＰポート１０２を介してＰＣ３に出力する。
【００４２】
ＰＣ３は取得した平文のＡＶデータをそのまま復号して表示する。
ＰＣ３の利用者は、蓄積コンテンツ「００２．ｍｐｇ」の先頭と終端に含まれる「コピー不可」部分を視聴する事はできないが、「コピー可」である残りの大部分を視聴する事ができる。また、代替画像置換部２４が代替情報として警告画像を出力する場合、蓄積コンテンツ「００２．ｍｐｇ」の先頭と終端に「コピー不可」の部分が含まれることが分かる。
［デジタルテレビ２によるコンテンツリストの取得］
デジタルテレビ２がコンテンツリスト要求コマンドをＡＶサーバ１に送信すると、コンテンツリスト管理部２８は送受信部２９を経由してコンテンツリスト要求コマンドを受信して解析し、送信用コンテンツリストを送受信部２９を経由してデジタルテレビ２に送信する。
［デジタルテレビ２による再生動作］
デジタルテレビ２は取得したコンテンツリストから、蓄積コンテンツ「００２．ｍｐｇ」を選択して、コンテンツ取得コマンド（ＧＥＴ）を、著作権保護対応受信装置用のＴＣＰポート１０１（ポート番号２０８０）を指定して送信する。
【００４３】
制御部２５は、送受信部２９を介してコンテンツ取得コマンドを受信すると、論理出力ポート管理部２７から得た著作権保護対応受信装置用のＴＣＰポート番号２０８０であることを確認し、暗号処理部２３、代替画像置換部２４及び認証処理部２６を暗号出力モードに設定し、コンテンツ蓄積部２２、送受信部２９を制御して再生を開始する。
【００４４】
暗号出力モードが設定されると、認証処理部２６はデジタルテレビ２との認証処理を実行し、暗号鍵を暗号処理部２３に出力する。
【００４５】
図５（ｃ）にコピー制御情報の変化に応じて送信するＡＶデータを示す。
暗号処理部２３、代替画像置換部２４は図５（ａ）に示されるコピー制御情報の変化に応じて動作し、「コピー可」の場合、平文のＡＶデータにＥ−ＥＭＩをＣＦ（ＣｏｐｙＦｒｅｅ）に設定したＰＣＰヘッダを付与してＴＣＰポート１０１を介してデジタルテレビ２に出力し、「コピー不可」の場合、設定された暗号鍵によって暗号化したＡＶデータにＥ−ＥＭＩをＮＭＣ（ＮｏＭｏｒｅＣｏｐｙ）に設定したＰＣＰヘッダを付与してＴＣＰポート１０１を介してデジタルテレビ２に出力する。
【００４６】
デジタルテレビＰＣ３は取得したＡＶデータのＰＣＰヘッダを解析し、Ｅ−ＥＭＩがＣＦに設定してある場合はそのまま処理し、Ｅ−ＥＭＩがＮＭＣに設定してある場合は暗号を復号して表示する。
【００４７】
以上のように、本実施の形態の送信装置は、著作権保護非対応受信装置用の論理出力ポートを備え、著作権保護非対応受信装置用の論理出力ポートを介して出力する場合は、著作権保護処理用のヘッダを付与せずに該当コンテンツを出力し、著作権保護対象であるときは該当コンテンツを出力せず、著作権保護非対象部分を出力することにより、著作権保護非対応の受信装置が受信する場合でも、受信データを復号処理して再生することができる。
【００４８】
また、本実施の形態の送信装置は、著作権保護非対応受信装置用の論理出力ポートを介して出力する場合は、出力すべきコンテンツが著作権保護対象の場合、代替画像を出力するため、受信装置では画像表示が中断されず、継続して画像表示する事ができる。
【００４９】
また、本実施の形態の送信装置は、著作権保護非対応受信装置用の論理出力ポートを介して出力する場合は、出力すべきコンテンツが著作権保護対象の場合、代替画像として出力すべきコンテンツが著作権保護対象であるため出力できないことを警告する警告画像を出力することができるため、受信装置の利用者は選択したコンテンツに著作権保護対象の部分が含まれること分かる。
【００５０】
また、本実施の形態の送信装置は、著作権保護非対応受信装置用のコンテンツリストを作成出力することができるため、著作権保護非対応受信装置は再生可能なコンテンツのみに対応するコンテンツリストを得ることができ、受信装置の利用者が誤って再生不可能なコンテンツを選択することがない。
【００５１】
なお、本実施の形態では、著作権保護方式としてＤＴＣＰ−ＩＰ方式の場合について説明したが、本発明はこれに限らず、著作権保護情報をコンテンツにヘッダとして付加する方式であれば適用する事ができる。
【００５２】
さらに、本実施の形態では、ネットワークにおけるＡＶコンテンツ及びコマンドの伝送プロトコルとしてＨＴＴＰ、ＴＣＰ、ＩＰを使用しているが、論理出力ポートを使用するプロトコルであれば他のプロトコルを使用しても構わない。たとえば、ＡＶコンテンツの伝送ではＲＴＰ及びＵＤＰ（Ｕｓｅｒ  Ｄａｔａｇｒａｍ  Ｐｒｏｔｏｃｏｌ）を使用しても良いし、ＩＰ以外のプロトコルを使用しても良い。
【００５３】
さらに、本実施の形態では、論理出力ポートとして、著作権保護対応受信装置用論理出力ポートと、著作権保護非対応受信装置用論理出力ポートとを各１個ずつ使用しているが、各々２個以上のポートを使用しても良いことは明らかである。
【００５４】
さらに、本実施の形態では、著作権保護情報として、コピー可（ＣＦ）とコピー不可（ＮｏＭｏｒｅＣｏｐｙ）の２通りのモードしか使用しないが、他のモードを使用して３種類以上のモードを使用しても良い。
【００５５】
さらに、本実施の形態では、送信装置として録画機能を有するＡＶサーバの場合について示したが、録画機能を有さない再生専用装置や、デジタル放送受信機のような装置にも適用することができる。
【００５６】
さらに、本実施の形態では、送信装置は受信装置の選択によって、著作権保護非対応受信装置用コンテンツリストを送信しているが、送信装置があらかじめ受信装置の能力を確認しておき、受信装置に応じて送信するコンテンツリストを選択してもよい。
【００５７】
（実施の形態２）
＜概要＞
本実施の形態の送信装置は、出力すべきコンテンツが私的コンテンツであることを判定し、私的コンテンツを区別してネットワークに送信できる。
【００５８】
＜構成＞
図１に、本実施の形態の送信装置及び送信装置からのデータを受信する受信装置を示す。本実施の形態では家庭内機器のＡＶサーバ１とデジタルテレビ２、家庭外機器のＰＣ６においてコンテンツ伝送を行う。
本実施の形態で使用する伝送プロトコルは実施の形態１と同様である。
【００５９】
図６に、送信装置であるＡＶサーバ１の構成を示す。
【００６０】
ＡＶサーバ１は、エンコーダ部２１、コンテンツ蓄積部２２、暗号処理部２３、代替画像置換部２４、制御部２５、認証処理部２６、論理出力ポート管理部２７、コンテンツリスト管理部２８、送受信部２９、デジタル入力部４０、私的コンテンツ判定処理部４１から構成される。
【００６１】
エンコーダ部２１、コンテンツ蓄積部２２、暗号処理部２３、代替画像置換部２４、認証処理部２６、論理出力ポート管理部２７、コンテンツリスト管理部２８、送受信部２９は、実施の形態１と同様の構成である。
【００６２】
本実施の形態において、私的コンテンツ判定処理部４１は私的コンテンツ判定手段に対応する。
【００６３】
図７はＡＶサーバ１が家庭内機器のデジタルテレビ２と、家庭外機器のＰＣ６にＡＶコンテンツを出力する時のＡＶサーバ１の論理出力ポートであるＴＣＰポート１０１（ポート番号２０８０）、ＴＣＰポート１０２（ポート番号３０８０）と、デジタルテレビ２の論離入力ポートであるＴＣＰポート２０１、ＰＣ６の論離入力ポートであるＴＣＰポート６０１との論理的な接続関係を示す。ここで、ＴＣＰポート１０１が著作権保護対応受信装置用の論理出力ポートであり、ＴＣＰポート１０２が著作権保護非対応受信装置用の論理出力ポートである。
【００６４】
デジタル入力部４０は、外部機器（図示せず）から入力されるデジタルＡＶ信号と著作権保護情報（本実施の形態ではＣＧＭＳ方式によるコピー制御情報）を検出して、コンテンツ蓄積部２２に送る。
【００６５】
私的コンテンツ判定処理部４１は、外部機器（図示せず）から入力されるＡＶ信号を処理して私的コンテンツであるかを判定して種別情報を生成し、コンテンツ蓄積部２２に送る。本実施の形態では、デジタル入力されるデジタルＡＶ信号中含まれる私的コンテンツフラグを検出する。
図９に私的コンテンツ判定処理部４１におけるコンテンツ種別判定用のテーブルを示す。
まず、私的コンテンツ判定処理部４１は、外部機器（図示せず）から入力されるＡＶ信号の著作権保護情報を確認し、「コピー不可」であれば、「商用コンテンツ」と判定する。さらに、「コピー可」のコンテンツの場合、私的コンテンツフラグの有無を確認し、「私的コンテンツ」か「種別不明」に分類する。
制御部２５は、ＡＶサーバ１を構成するエンコーダ部２１、コンテンツ蓄積部２２、暗号処理部２３、代替画像置換部２４、認証処理部２６、論理出力ポート管理部２７、コンテンツリスト管理部２８、送受信部２９、デジタル入力部４０、私的コンテンツ判定処理部４１の各部を制御して、ＡＶデータの記録及び記録したＡＶデータを再生してネットワーク経由で受信装置に出力する。
また、制御手段２５は、コンテンツ蓄積部２２にＡＶコンテンツと共に記録した著作権保護情報によって、記録されているＡＶコンテンツが著作権保護対象か判定する。
また、制御部２５は受信装置から著作権保護非対応受信装置用のＴＣＰポート１０２を指定したコンテンツ取得コマンドを受信したとき、要求された蓄積コンテンツの種別情報を確認し、「私的コンテンツ」でない場合には、再生を拒否する。
【００６６】
＜動作＞
次に、このような本実施の形態の動作を説明する。
【００６７】
［録画動作］
まず、制御部２５は録画がリモコン等の入力手段（図示せず）で指示されると、エンコーダ部２１またはデジタル入力部４０とコンテンツ蓄積部２２を制御し、エンコーダ部２１によって変換されたもしくはデジタル入力部４０から入力したデジタルＡＶ信号を、検出したコピー制御情報と判定した種別情報とともにコンテンツ蓄積部２２に出力し、コンテンツ蓄積部２２はＡＶコンテンツとして蓄積する。
【００６８】
また、制御部２５はエンコーダ部２１からアナログＡＶ信号のコピー制御情報を逐次受信し、蓄積したＡＶコンテンツ全体のコピー制御情報を決定して、蓄積したＡＶコンテンツの他の属性情報とともにコンテンツリスト管理部２８に出力する。コンテンツリスト管理部２８は受信したＡＶコンテンツの各属性情報によって図８に示すコンテンツリストを生成する。
【００６９】
図８は、管理用コンテンツリストであり、管理番号、ファイル名、タイトル、ＡＶコンテンツ全体の種別情報。コピー制御情報から構成される。また、コンテンツリスト管理部２８は管理用コンテンツリストを元に全蓄積コンテンツに対応する送信用コンテンツリストを生成する。
［ＰＣ６によるコンテンツリストの取得］
ＰＣ６がコンテンツリスト要求コマンドをＡＶサーバ１に送信すると、コンテンツリスト管理部２８は送受信部２９を経由してコンテンツリスト要求コマンドを受信して解析し、送信用コンテンツリストを送受信部２９を経由してＰＣ６に送信する。
［ＰＣ６による再生動作］
ＰＣ６は取得したコンテンツリストから、蓄積コンテンツ「００１．ａｖｉ」を選択して、コンテンツ取得コマンド（ＧＥＴ）を、著作権保護非対応受信装置用のＴＣＰポート１０２（ポート番号８０８０）を指定して送信する。
【００７０】
制御部２５は、送受信部２９を介してコンテンツ取得コマンドを受信すると、論理出力ポート管理部２７から得た著作権保護非対応受信装置用のＴＣＰポート番号８０８０であることを確認し、暗号処理部２３、代替画像置換部２４及び認証処理部２６を平文出力モードに設定する。
次に制御部２５は、要求された蓄積コンテンツ「００１．ａｖｉ」の種別情報が「私的コンテンツ」であることを確認し、コンテンツ蓄積部２２、送受信部２９を制御して再生を開始する。
要求されたコンテンツのコピー制御情報が「コピー可」かつ種別情報が「私的コンテンツ」の場合のみ再生を許可する。
【００７１】
以上のように、本実施の形態の送信装置は、私的コンテンツ判定手段を備えるため、出力すべきコンテンツが私的コンテンツであるか区別してネットワークに送信することができる。
【００７２】
私的コンテンツを識別する識別情報の生成と伝送をセキュアに行い、著作権保護情報と同様の扱いが認められれば、暗号処理、認証処理を著作権保護処理と共用することが可能になり、私的コンテンツを保護する場合の実装負担を低減することができる。
【００７３】
なお、本実施の形態では、私的コンテンツ判定手段として、デジタルＡＶ信号中に含まれる私的コンテンツフラグを使用したが、本発明における、私的コンテンツ判定手段は、これに限らず、ビデオカメラ等で撮影した私的コンテンツであることを判定できる手段であれば良い。画像に埋め込まれた私的コンテンツ識別情報によって判定しても良いし、コンテンツを画像処理し、自然画像であると判定した時、私的コンテンツであると判定してもよい。さらに、コンテンツを画像処理し、手ぶれを検出した時、私的コンテンツであると判定してもよい。
【００７４】
さらに、本発明の送信装置の全部または一部の手段の機能をコンピュータにより実行させるためのプログラム及び／またはデータを担持した媒体であって、コンピュータにより処理可能なことを特徴とする媒体も本発明に属する。
【００７５】
さらに、本発明の送信装置の全部または一部の手段の全部または一部の機能をコンピュータにより実行させるためのプログラム及び／またはデータであることを特徴とする情報集合体も本発明に属する。
【００７６】
さらに、本発明は、上述した本発明の送信装置の全部または一部の手段の全部または一部の機能をコンピュータにより実行させるためのプログラム及び／またはデータを担持した媒体であり、コンピュータにより読み取り可能且つ、読み取られた前記プログラム及び／またはデータが前記コンピュータと協動して前記機能を実行する媒体である。
【００７７】
さらに、本発明は、上述した本発明の送信装置の全部または一部の手段の機能をコンピュータにより実行させるためのプログラム及び／またはデータである情報集合体であり、コンピュータにより読み取り可能且つ、読み取られた前記プログラム及び／またはデータが前記コンピュータと協動して前記機能を実行する情報集合体である。
【００７８】
さらに、本発明のデータとは、データ構造、データフォーマット、データの種類などを含む。
【００７９】
さらに、本発明の媒体とは、ＲＯＭ等の記録媒体、インターネット等の伝送媒体、光・電波・音波等の伝送媒体を含む。
【００８０】
さらに、本発明の担持した媒体とは、例えば、プログラム及び／またはデータを記録した記録媒体、やプログラム及び／またはデータを伝送する伝送媒体等を含む。
【００８１】
さらに、本発明のコンピュータにより処理可能とは、例えば、ＲＯＭなどの記録媒体の場合であれば、コンピュータにより読みとり可能であることであり、伝送媒体の場合であれば、伝送対象となるプログラム及び／またはデータが伝送の結果として、コンピュータにより取り扱えることであることを含む。
【００８２】
さらに、本発明の情報集合体とは、例えば、プログラム及び／またはデータ等のソフトウエアを含むものである。
【００８３】
さらに、以上説明した様に、本発明の構成は、ソフトウェア的に実現しても良いし、ハードウェア的に実現しても良い。
【図面の簡単な説明】
【００８４】
【図１】本発明の実施の形態１および実施の形態２における各送信装置と受信装置及び伝送に使用するネットワークの構成を示す図
【図２】本発明の実施の形態１におけるＡＶサーバの構成を示す図
【図３】本発明の実施の形態１におけるＡＶサーバ１とデジタルテレビ２、ＰＣ３との論理的な接続関係を示す図
【図４】本発明の実施の形態１における、蓄積コンテンツの著作権保護情報と送信データの関係を示す図
【図５】本発明の実施の形態１におけるコンテンツリストを示す図
【図６】本発明の実施の形態２におけるＡＶサーバの構成を示す図
【図７】本発明の実施の形態２におけるＡＶサーバ１とデジタルテレビ２、ＰＣ６の論理的な接続関係を示す図
【図８】本発明の実施の形態２におけるコンテンツリストを示す図
【図９】本発明の実施の形態２におけるコンテンツ種別判定用テーブルを示す図
【図１０】従来例及び本発明の実施の形態１及び実施の形態２におけるＤＴＣＰ−ＩＰ方式のＥ−ＥＭＩを示す表
【図１１】従来例及び本発明の実施の形態１および実施の形態２におけるＤＴＣＰ−ＩＰ方式のＰＣＰヘッダの格納位置を示す図
【符号の説明】
【００８５】
１    ＡＶサーバ
２    デジタルテレビ
３    ＰＣ
４    ルータ
５    ルータ
６    ＰＣ
２３    暗号処理部
２４    代替画像置換部
２５    制御部
２６    認証処理部
２７    論理出力ポート管理部
２８    コンテンツリスト管理部
２９    送受信部
４１    私的コンテンツ判定処理部
１０１    著作権保護対応受信装置用ＴＣＰポート
１０２    著作権保護非対応受信装置用ＴＣＰポート
【図１】
2006005726.tif 000003
【図２】
2006005726.tif 000004
【図３】
2006005726.tif 000005
【図４】
2006005726.tif 000006
【図５】
2006005726.tif 000007
【図６】
2006005726.tif 000008
【図７】
2006005726.tif 000009
【図８】
2006005726.tif 000010
【図９】
2006005726.tif 000011
【図１０】
2006005726.tif 000012
【図１１】
2006005726.tif 000013